(57)【要約】【課題】誘導加熱調理器の加熱コイルから発生する変動磁界による、加熱コイルや負荷鍋から生じる振動や、可聴音を低減すること。【解決手段】制御手段は前記鍋鳴り検出手段により、前記加熱コイルから発生する変動磁界に起因して前記加熱コイルや負荷鍋等の共鳴により発生する可聴音を検出することにより、共鳴音が発生していることを検出した場合にインバータ回路の駆動周波数を変更して、共鳴が発生しない周波数でインバータ回路を駆動することにより、ユーザにとって不快な共鳴による可聴音を低減することになるので、誘導加熱調理器の品質を向上させることとなる。【選択図】図１
2008257971.tif 000002
【特許請求の範囲】
【請求項１】
トッププレート上の鍋を加熱する加熱コイルと、前記加熱コイルに高周波電流を供給するインバータ回路と、前記インバータ回路に電源を供給する直流電源と、前記直流電源への入力電流を検知する入力電流検知手段と、前記加熱コイルに流れる高周波電流を検知する加熱コイル電流検知手段と、鍋鳴りを検出するための鍋鳴り検出手段と、負荷鍋底部の温度を検出する温度検出手段と、前記インバータ回路の出力を制御する制御手段を備え、前記制御手段は前記鍋鳴り検出手段により、前記加熱コイルから発生する変動磁界に起因して前記加熱コイルや負荷鍋等の共鳴により発生する可聴音を検出する誘導加熱調理器。
【請求項２】
制御手段は、前記制御手段が鍋鳴り検出手段により共鳴音が生じていることを検出した場合に、インバータ回路の駆動周波数を変更して、共鳴音を低減する請求項１に記載の誘導加熱調理器。
【請求項３】
制御手段は、前記制御手段が温度検出手段から検出する鍋底の温度に応じて、鍋鳴り検出手段により検出した信号が、共鳴音であるか、沸騰音であるかを判定する請求項２に記載の誘導加熱調理器。
【請求項４】
複数の加熱コイル各々に共鳴音を検出するための鍋鳴り検出手段を備えた請求項２または請求項３に記載の誘導加熱調理器。
【請求項５】
制御手段は、前記制御手段が鍋鳴り検出手段により共鳴音が生じていることを検出し、インバータ回路の駆動周波数を変更しても共鳴音が低減しない場合に、前記鍋鳴り検出手段が検出している音が共鳴に起因するものでは無いと判断し、前記インバータ回路の駆動周波数を初期に戻す請求項２〜４のいずれか１項に記載の誘導加熱調理器。
【請求項６】
制御手段は、前記制御手段が鍋鳴り検出手段により共鳴音は生じていることを検出し、インバータ回路の駆動周波数及び入力電力を変更しても共鳴音が低減しない場合に、負荷鍋への入力電力を下げて共鳴音を低減させる請求項２〜４のいずれか１項に記載の誘導加熱調理器。
【発明の詳細な説明】
【技術分野】
【０００１】
本発明は、加熱制御する誘導加熱調理器に関するものである。
【背景技術】
【０００２】
従来、この種の誘導加熱調理器は、加熱コイルから発生する変動磁界によって、加熱コイルや負荷鍋に振動が生じたり、共鳴によって可聴音が発生したりすることがあった（例えば、特許文献１参照）。
【特許文献１】特開２００４−２８８５８０号公報
【発明の開示】
【発明が解決しようとする課題】
【０００３】
しかしながら、誘導加熱調理器を用いて鍋を加熱する際、加熱コイルから発生する変動磁界によって、加熱コイルや負荷鍋に振動が生じたり、共鳴によって可聴音が発生したりすると、ユーザにとって不快であるという課題を有していた。
【０００４】
本発明は、前記従来の課題を解決するもので、共鳴音が発生していることを検出した場合にインバータ回路の駆動周波数を変更して、共鳴が発生しない周波数でインバータ回路を駆動することで、共鳴による可聴音を低減することができる誘導加熱調理器を提供することを目的とする。
【課題を解決するための手段】
【０００５】
前記従来の課題を解決するために、本発明の誘導加熱調理器は、鍋鳴り検出手段を用いて加熱コイルや負荷鍋周辺の音を集音し、共鳴音が発生していることを検出した場合にインバータ回路の駆動周波数を変更して、共鳴が発生しない周波数でインバータ回路を駆動することとしたものである。
【０００６】
これによって、共鳴による可聴音を低減することとなる。
【発明の効果】
【０００７】
本発明の誘導加熱調理器は、負荷鍋や負荷鍋の組み合わせに対して、ユーザにとって不快な共鳴音を低減することができ、品質を向上することができる。
【発明を実施するための最良の形態】
【０００８】
第１の発明は、トッププレート上の鍋を加熱する加熱コイルと、前記加熱コイルに高周波電流を供給するインバータ回路と、前記インバータ回路に電源を供給する直流電源と、前記直流電源への入力電流を検知する入力電流検知手段と、前記加熱コイルに流れる高周波電流を検知する加熱コイル電流検知手段と、鍋鳴りを検出するための鍋鳴り検出手段と、負荷鍋底部の温度を検出する温度検出手段と、前記インバータ回路の出力を制御する制御手段を備え、前記制御手段は前記鍋鳴り検出手段により、前記加熱コイルから発生する変動磁界に起因して前記加熱コイルや負荷鍋等の共鳴により発生する可聴音を検出することができる。
【０００９】
第２の発明は、特に、第１の発明の制御手段において、制御手段が鍋鳴り検出手段により共鳴音が生じていることを検出した場合に、インバータ回路の駆動周波数を変更することで、共鳴音を低減することができる。
【００１０】
第３の発明は、特に第２の発明の制御手段において、温度検出手段から検出する鍋底の温度に応じて、鍋鳴り検出手段により検出した信号が、共鳴音であるか、沸騰音であるかを判定することができる。
【００１１】
第４の発明は、特に、第２の発明または第３の発明において、加熱コイルが複数存在する誘導加熱調理器の場合に、加熱コイル各々に共鳴音を検出するための鍋鳴り検出手段を備えることで、個々の加熱コイルについて、共鳴音低減を図ることができる。
【００１２】
第５の発明は、特に、第２〜４の発明の制御手段において、鍋鳴り検出手段により共鳴音が生じていることを検出し、インバータ回路の駆動周波数及び入力電力を変更しても共鳴音が低減しない場合に、前記鍋鳴り検出手段が検出している音が共鳴に起因するものでは無いと判断することができる。
【００１３】
第６の発明は、特に、第２〜４の発明の制御手段において、前記制御手段が鍋鳴り検出手段により共鳴音が生じていることを検出し、インバータ回路の駆動周波数及び入力電力を変更しても共鳴音が低減しない場合に、負荷鍋への入力電力を下げて共鳴音を低減することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における誘導加熱調理器のブロック図を示すものである。
【００１６】
図１において、１１は負荷鍋、１２は負荷鍋１１を載置するトッププレート、１３は負荷鍋１１を加熱する加熱コイル、１４は加熱コイル１３に高周波電流を供給するインバータ回路、１５はインバータ回路１４へ電源を供給する直流電源、１６は商用電源からの入力電流を検知する入力電流検知手段、１７は加熱コイル１３に流れる高周波電流を検知する加熱コイル電流検知手段、１８は共鳴音を検出するための鍋鳴り検出手段、１９は負荷鍋１１底部の温度を検出する温度検出手段である。２０は機器の動作状態を表示する表示手段、２１は機器の加熱出力を設定する出力設定手段、２２は出力設定手段２１で設定された出力となるようにインバータ回路１４の出力を制御する制御手段である。
【００１７】
以上のように構成された誘導加熱調理器について、以下その動作、作用を説明する。
【００１８】
まず、加熱を開始すると、制御手段２２はインバータ回路１４を作動させて加熱コイル１３に高周波電流を供給し、加熱コイル１３上方に載置された負荷鍋１１が加熱される。このとき、負荷鍋１１の形状や材質によっては、加熱コイル１３から発生する変動磁界に起因して加熱コイル１３や負荷鍋１１等の共鳴により振動や可聴音が発生することがある。この可聴音を鍋鳴り検出手段１８により検出する。
【００１９】
制御手段２２は、鍋鳴り検出手段１８により共鳴音が生じていることを検出した場合に、インバータ回路１４の駆動周波数を変更して、加熱コイル１３から発生する変動磁界の周波数をずらすことによって、共鳴音を低減することができる。
【００２０】
制御手段２２は、温度検出手段１９から検出する負荷鍋１１底部の温度に応じて、鍋鳴り検出手段１８により検出した信号が、共鳴音であるか、沸騰音であるかを判定することで、負荷鍋１１内の非加熱物の沸騰により生じる音により不要な周波数変化を発生させないようにできる。
【００２１】
制御手段２２は、鍋鳴り検出手段１８により共鳴音が生じていることを検出し、インバータ回路１４の駆動周波数を変更しても共鳴音が低減しない場合に、鍋鳴り検出手段１８が検出している音が共鳴に起因するものでは無いと判断し、インバータ回路１４の駆動周波数を初期に戻すことができる。
【００２２】
制御手段２２は、鍋鳴り検出手段１８により共鳴音は生じていることを検出し、インバータ回路１４の駆動周波数及び入力電力を変更しても共鳴音が低減しない場合に、負荷鍋１１への入力電力を下げて共鳴音を低減させることができる。
【００２３】
鍋鳴り検出手段１８には、圧電素子等の振動検出素子や、マイク等の集音装置を使用することができる。
【産業上の利用可能性】
【００２４】
以上のように、本発明にかかる誘導加熱調理器は、共鳴音が発生した場合に、その原因となる変動磁界の周波数を変更するため、あらゆる負荷鍋や負荷鍋の組み合わせに対して、ユーザにとって不快な共鳴音を低減することができるため、品質向上につながり、他の誘導加熱装置にも適用できる。
【図面の簡単な説明】
【００２５】
【図１】本発明の実施の形態１における誘導加熱調理器を示すブロック図
【符号の説明】
【００２６】
１１  負荷鍋
１２  トッププレート
１３  加熱コイル
１４  インバータ回路
１５  直流電源
１６  入力電流検知手段
１７  加熱コイル電流検知手段
１８  鍋鳴り検出手段
１９  温度検出手段
２０  表示手段
２１  出力設定手段
２２  制御手段
【図１】
2008257971.tif 000003